(57)【要約】【課題】異物の侵入をより確実に抑制することができる異物侵入抑制装置を提供する。【解決手段】異物侵入抑制装置１は、太陽光発電モジュール８０と太陽光発電モジュール８０が設置される屋根面９０の間の隙間Ｓ１に異物Ｉ１が侵入することを抑制する。異物侵入抑制装置１は、幅方向Ｗに延びる複数の横線状部、及び幅方向Ｗに交わる高さ方向Ｈに延び、横線状部との交点で連結する複数の縦線状部１２を有するネット１０と、ネット１０を太陽光発電モジュール８０に固定するクリップ２１と、ネット１０を屋根面９０に対して固定するクリップ２２及び固定金具３０と、を備える。ネット１０の縦線状部１２は、屋根面９０に近い端部に位置し、隙間Ｓ１から離れる方向に向けて延びる先端部１２ａを備える。【選択図】図１
2020074713.tif 000002
【特許請求の範囲】
【請求項１】
設置物と前記設置物が設置される設置面の間の隙間に異物が侵入することを抑制する異物侵入抑制装置であって、
幅方向に延びる複数の第１線状部、及び前記幅方向に交わる高さ方向に延び、前記第１線状部との交点で連結する複数の第２線状部を有するネットと、
前記ネットを前記設置物に固定する第１固定手段と、
前記ネットを前記設置面に対して固定する第２固定手段と、を備え、
前記ネットの前記第２線状部は、前記設置面に近い端部に位置し、前記隙間から離れる方向に向けて延びる先端部を備える、
異物侵入抑制装置。
【請求項２】
前記ネットは、前記設置物と前記設置面の間において凹状の曲線をなすように撓んだ状態で前記第１固定手段及び前記第２固定手段により保持される、
請求項１に記載の異物侵入抑制装置。
【請求項３】
前記第１固定手段は、前記ネットの前記第１線状部を保持した状態で前記設置物の被取付部を挟み込む第１クリップであり、
前記第２固定手段は、
前記設置面に固定される固定金具と、
前記ネットの前記第１線状部を保持した状態で前記固定金具を挟み込む第２クリップと、を備える、
請求項１又は２に記載の異物侵入抑制装置。
【請求項４】
前記固定金具は、
前記設置面に接着される接着板部と、
前記設置面に交わる方向に延び、前記第２クリップが装着されるクリップ装着板部と、を備え、
前記接着板部には、接着剤が充填され、前記設置面から離れるにつれて孔径が大きくなる孔が形成される、
請求項３に記載の異物侵入抑制装置。
【請求項５】
前記第１クリップは、前記設置物の前記被取付部を挟み込む第１挟持部及び第２挟持部を備え、
前記第１挟持部は、前記第２挟持部よりも前記第１クリップの開口側に位置し、
前記ネットの前記第１線状部は、前記第１挟持部と前記第２挟持部の間に保持される、
請求項３又は４に記載の異物侵入抑制装置。
【発明の詳細な説明】
【技術分野】
【０００１】
本発明は、異物侵入抑制装置に関する。
【背景技術】
【０００２】
従来から、鳥類が侵入することを抑制する防鳥ネットが知られている。例えば、特許文献１に記載される防鳥ネット取付装置は、取付対象に固定される２つの支柱と、２つの支柱の間に配設されるポールと、を有し、２つの支柱間の上部と下部にネット吊りワイヤーを掛け渡し、ネット吊りワイヤーの間にネットが張られる。
【先行技術文献】
【特許文献】
【０００３】
【特許文献１】特開２００６−３７６５０号公報
【発明の概要】
【発明が解決しようとする課題】
【０００４】
上記特許文献１の構成では、ネットと取付対象の間の隙間から鳥類等の異物が侵入するおそれがあった。
【０００５】
本発明は、上記実状を鑑みてなされたものであり、異物の侵入をより確実に抑制することができる異物侵入抑制装置を提供することを目的とする。
【課題を解決するための手段】
【０００６】
上記目的を達成するため、本発明に係る異物侵入抑制装置は、設置物と前記設置物が設置される設置面の間の隙間に異物が侵入することを抑制する異物侵入抑制装置であって、幅方向に延びる複数の第１線状部、及び前記幅方向に交わる高さ方向に延び、前記第１線状部との交点で連結する複数の第２線状部を有するネットと、前記ネットを前記設置物に固定する第１固定手段と、前記ネットを前記設置面に対して固定する第２固定手段と、を備え、前記ネットの前記第２線状部は、前記設置面に近い端部に位置し、前記隙間から離れる方向に向けて延びる先端部を備える。
【０００７】
また、上記異物侵入抑制装置において、前記ネットは、前記設置物と前記設置面の間において凹状の曲線をなすように撓んだ状態で前記第１固定手段及び前記第２固定手段により保持される、ようにしてもよい。
【０００８】
また、上記異物侵入抑制装置において、前記第１固定手段は、前記ネットの前記第１線状部を保持した状態で前記設置物の被取付部を挟み込む第１クリップであり、前記第２固定手段は、前記設置面に固定される固定金具と、前記ネットの前記第１線状部を保持した状態で前記固定金具を挟み込む第２クリップと、を備える、ようにしてもよい。
【０００９】
また、上記異物侵入抑制装置において、前記固定金具は、前記設置面に接着される接着板部と、前記設置面に交わる方向に延び、前記第２クリップが装着されるクリップ装着板部と、を備え、前記接着板部には、接着剤が充填され、前記設置面から離れるにつれて孔径が大きくなる孔が形成される、ようにしてもよい。
【００１０】
また、上記異物侵入抑制装置において、前記第１クリップは、前記設置物の前記被取付部を挟み込む第１挟持部及び第２挟持部を備え、前記第１挟持部は、前記第２挟持部よりも前記第１クリップの開口側に位置し、前記ネットの前記第１線状部は、前記第１挟持部と前記第２挟持部の間に保持される、ようにしてもよい。
【発明の効果】
【００１１】
本発明によれば、異物侵入抑制装置において、異物の侵入をより確実に抑制することができる。
【図面の簡単な説明】
【００１２】
【図１】本発明の一実施形態に係る異物侵入抑制装置の概略側面図である。
【図２】本発明の一実施形態に係るクリップが装着されるネットの正面図である。
【図３】本発明の一実施形態に係る固定金具の平面図、正面図及び側面図である。
【図４】本発明の一実施形態に係るクリップの側面図である。
【図５】本発明の一実施形態に係るクリップの正面図である。
【図６】比較例に係る異物侵入抑制装置の概略側面図である。
【発明を実施するための形態】
【００１３】
本発明に係る異物侵入抑制装置の一実施形態について、図面を参照して説明する。
図１に示すように、異物侵入抑制装置１は、屋根面９０に設置される太陽光発電モジュール８０と屋根面９０の隙間Ｓ１に異物Ｉ１が侵入することを抑制する。
異物侵入抑制装置１は、ネット１０と、複数のクリップ２１，２２と、複数の固定金具３０と、を備える。
【００１４】
（ネット１０）
図２に示すように、ネット１０は、ポリエチレン等の樹脂により格子状に形成され、可撓性を有している。
詳しくは、ネット１０は、幅方向Ｗに延びる複数の横線状部１１と、高さ方向Ｈに延びる複数の縦線状部１２と、を備える。横線状部１１は第１線状部の一例であり、縦線状部１２は第２線状部の一例である。
複数の横線状部１１は高さ方向Ｈに沿って並べられている。複数の縦線状部１２は幅方向Ｗに沿って並べられている。各縦線状部１２と各横線状部１１は交点にて連結されている。
例えば、ネット１０の幅方向Ｗの長さは１０００ｍｍであり、ネット１０の高さ方向Ｈの長さは１４０ｍｍである。ネット１０の格子を構成する正方形は２０ｍｍ×２０ｍｍである。この正方形のサイズは、鳥類、枝又は落葉等の異物Ｉ１が通過しないように、かつ通気性が確保されるように設定される。特に、ネット１０の通気性が確保されることにより、太陽光発電モジュール８０の温度上昇を抑制することができ、発電効率の向上に寄与する。
【００１５】
図１に示すように、ネット１０は、太陽光発電モジュール８０から屋根面９０に向けて外側から見て凹状の曲線をなすように撓んだ状態で保持される。例えば、ネット１０は、太陽光発電モジュール８０から屋根面９０に近づくにつれて曲率が小さくなるように形成される。
【００１６】
ネット１０の基端部（ネット１０の太陽光発電モジュール８０に近い端部）はクリップ２１により太陽光発電モジュール８０に固定される。
縦線状部１２の先端部１２ａ（ネット１０の屋根面９０に近い端部）には横線状部１１が位置していない。よって、縦線状部１２の先端部１２ａは鳥類等の動物を威嚇するために隙間Ｓ１とは反対側の外側に向けて延びている。縦線状部１２は幅方向Ｗに沿って並べられているため、ネット１０の先端部１２ａはくし状に外側に向けて延びている。
縦線状部１２の先端部１２ａは、図１の実線で示すように、屋根面９０に接触していてもよいし、図１の破線で示すように、屋根面９０との間に隙間を有していてもよい。
【００１７】
比較例として、図６に示すように、ネット１００が外側から見て凸状の曲線をなすように撓んだ状態で保持された場合、ネット１００の外側であっても、太陽光発電モジュール８０の下となる空間Ｓ２が形成され易い。空間Ｓ２に鳥類が巣を作るおそれがあり、鳥害が懸念される。この点、本実施形態のネット１０は空間Ｓ２が形成されないため、鳥害を抑制することができる。また、比較例では、図６の破線で示すように、鳥類等の異物Ｉ１が外側から隙間Ｓ１に向かって進むにつれてネット１００の下端が上側に押し上げられ、異物Ｉ１の隙間Ｓ１への進入が容易である。この点、本実施形態では、図１に示すように、異物Ｉ１が外側から隙間Ｓ１に向かって進んだとしても、ネット１０の上に乗るか、ネット１０の先端部１２ａに突き刺さるため、異物Ｉ１は隙間Ｓ１に進入できない。
【００１８】
また、縦線状部１２の先端部１２ａが屋根面９０に点接触するため、先端部１２ａの屋根面９０に対する接触圧力を高めることができる。よって、先端部１２ａが異物Ｉ１により押し上げられることが抑制される。
さらに、縦線状部１２の先端部１２ａは、幅方向Ｗに沿って並べられている。よって、複数の先端部１２ａのうち何れかが異物Ｉ１により押し上げられた場合でも、残りの先端部１２ａは押し上げられない。よって、ネット１０と屋根面９０の隙間を最小限に留めることができる。これと比較して、ネットの先端部に横線状部が位置し、横線状部が屋根面に線接触する構成においては、横線状部の一部が異物により押し上げられたとき、押し上げられた部位を中心とした周辺領域まで押し上げられ、結果的にネットと屋根面の隙間が大きくなる。
【００１９】
ネット１０において縦線状部１２と横線状部１１はハサミにより切断可能に構成されている。よって、屋根面９０に凹凸がある場合、その凹凸に合わせてネット１０を切断することができる。
【００２０】
（固定金具３０）
複数の固定金具３０は、ネット１０の幅方向Ｗに沿って屋根面９０に配列される。固定金具３０は、ステンレス等の金属により形成されるＬ字状の金具である。図３に示すように、固定金具３０は、屋根面９０に接着される接着板部３１と、クリップ２２がネット１０とともに装着されるクリップ装着板部３２と、を備える。
【００２１】
接着板部３１は、屋根面９０に沿う正方形板状をなし、接着剤が充填される複数の孔３１ａが形成される。各孔３１ａは、接着板部３１の厚さ方向に貫通し、接着板部３１の下面から上面に向かうにつれて孔径が大きくなるように形成される。これにより、各孔３１ａ内の接着剤が硬化すると、その硬化した接着剤が各孔３１ａから抜けることを抑制する。本例では、孔３１ａは、正方形の角部に４つと正方形の中央に１つ設けられている。
【００２２】
クリップ装着板部３２は、長方形板状に形成され、接着板部３１の一辺の縁部から接着板部３１に対して直交する方向に延びる。クリップ装着板部３２は屋根面９０に交わる方向に延びる。
クリップ装着板部３２には、クリップ２２の後述する第１挟持部２２ｅが引っ掛かる凹部３２ａが形成される。凹部３２ａは、クリップ装着板部３２の外面にネット１０の幅方向Ｗに沿って延びるように形成される。
【００２３】
（クリップ２１，２２）
図１に示すように、クリップ２１はネット１０を太陽光発電モジュール８０の被取付部８１に固定する。被取付部８１は、太陽光発電モジュール８０の金属製の外枠フレームの一部であり、外枠フレームの下部から隙間Ｓ１に向けて延びるフランジ板状に形成される。
図４に示すように、クリップ２１は、ネット１０の横線状部１１及び太陽光発電モジュール８０の被取付部８１を挟み込むクリップ部２１ａと、クリップ２１を取り付ける際に作業者により把持される取手部２１ｂと、を備える。
【００２４】
クリップ部２１ａは、樹脂からなる外装部２１ｃと、外装部２１ｃ内に保持される金具２１ｄと、を備える。金具２１ｄは金属により略Ｕ字状に形成される。金具２１ｄは、第１挟持部２１ｅ及び第２挟持部２１ｆを備える。
第１挟持部２１ｅ及び第２挟持部２１ｆは、それぞれ、被取付部８１をその厚さ方向から挟み込んだ状態で保持する一対の弾性板部からなる。一対の弾性板部は、クリップ部２１ａの開口部から底部に向かうにつれて互いに近づくように傾斜する。また、一対の弾性板部は、被取付部８１が挿入される際に互いに離れるように弾性変形し、被取付部８１が挿入された後は復元力により被取付部８１に付勢する。
【００２５】
第１挟持部２１ｅは、第２挟持部２１ｆよりもクリップ部２１ａの開口側に位置する。図５に示すように、第１挟持部２１ｅは、ネット１０の幅方向Ｗにおいて第２挟持部２１ｆの両側に２組配置される。
図４の一点鎖線で示すように、第１挟持部２１ｅ及び第２挟持部２１ｆは、被取付部８１を挟み込み、第１挟持部２１ｅと第２挟持部２１ｆの間にはネット１０の横線状部１１が保持される。ネット１０の横線状部１１は、クリップ２１において、２組の第１挟持部２１ｅと１組の第２挟持部２１ｆにより３箇所で安定的に保持される。
取手部２１ｂは、樹脂によりクリップ部２１ａの外装部２１ｃと一体で形成される。取手部２１ｂは、内部に空洞を有する直方体で形成される。取手部２１ｂの空洞は、図示しない結束バンドを挿通可能に形成されている。取手部２１ｂの空洞に作業者の爪や指先を挿入することができ、作業性が向上する。図１に示すように、取手部２１ｂはクリップ部２１ａの下方向に設けられる。
【００２６】
図１に示すように、クリップ２２はネット１０を固定金具３０に固定する。クリップ２２は、クリップ２１と同様の構成であり、固定金具３０のクリップ装着板部３２を挟み込むクリップ部２２ａと、クリップ２２を取り付ける際に作業者により把持される取手部２２ｂと、を備える。
クリップ２２のクリップ部２２ａはクリップ装着板部３２の上端に装着される。取手部２２ｂはクリップ部２２ａよりも外側に位置する。
クリップ２２がクリップ装着板部３２に装着されたとき、図３の破線で示すように、クリップ２２の第１挟持部２２ｅの先端はクリップ装着板部３２の凹部３２ａ内に位置する。これにより、クリップ２２がクリップ装着板部３２から外れることが抑制される。
なお、クリップ２１は第１クリップ及び第１固定手段の一例であり、クリップ２２は第２クリップの一例である。また、クリップ２２及び固定金具３０は第２固定手段の一例である。
【００２７】
（組み付け作業）
次に、異物侵入抑制装置１の組み付け作業について説明する。以下の作業は作業者により行われる。
現場である屋根面９０での異物侵入抑制装置１の組み付け作業の前に、図１に示すように、ネット１０の各横線状部１１にクリップ２１，２２が装着される。このとき、横線状部１１は、クリップ２１，２２における第１挟持部２１ｅと第２挟持部２１ｆの間に保持される。複数のクリップ２１はネット１０における上から２番目の横線状部１１に幅方向Ｗに均等な間隔毎に配置される。複数のクリップ２２はネット１０における下から２番目の横線状部１１に幅方向Ｗに均等な間隔毎に配置される。クリップ２１とクリップ２２は高さ方向Ｈに一致する位置に設けられる。
【００２８】
クリップ２１，２２が装着されたネット１０が固定金具３０及び接着剤等とともに現場である屋根面９０に持ち込まれる。そして、図１に示すように、各クリップ２１は、横線状部１１を保持した状態で、太陽光発電モジュール８０の被取付部８１に装着される。これにより、ネット１０の基端部が折り曲げられて、ネット１０は外側から見て凹状に撓み、ネット１０の先端部１２ａは外側に向けて突き出しつつ屋根面９０に向けて付勢した状態となる。
クリップ２１は予めネット１０に装着されているため、クリップ２１を太陽光発電モジュール８０の被取付部８１に押し込むだけで、簡単にネット１０を太陽光発電モジュール８０に固定できる。よって、クリップ２１を用いる方法は、締結バンド又は紐によりネット１０を太陽光発電モジュール８０に締結する方法に比べて、簡易である。
【００２９】
次に、屋根面９０におけるクリップ２２に対応する位置に固定金具３０が接着される。
詳しくは、固定金具３０の接着板部３１の下面に接着剤が塗布された後、接着板部３１の下面が屋根面９０に押し当てられる。これにより、接着剤が接着板部３１の各孔３１ａ内に充填される。接着剤が硬化するまで、図示しない養生テープにより固定金具３０が屋根面９０に対して固定される。
接着剤が硬化した後、クリップ２２は、横線状部１１を保持した状態で、固定金具３０のクリップ装着板部３２に装着される。
クリップ２２は予めネット１０に装着されているため、クリップ２２を固定金具３０に押し込むだけで、簡単にネット１０を固定金具３０に固定できる。よって、クリップ２２を用いる方法は、締結バンド又は紐によりネット１０を固定金具３０に締結する方法に比べて、簡易である。
最後に、養生テープが剥がされて、組み付け作業が完了となる。太陽光発電モジュール８０の各側面につき、上述した異物侵入抑制装置１の組み付け作業が行われる。ネット１０の幅方向Ｗの端部同士は結束バンドにより締結される。
【００３０】
（効果）
以上、説明した一実施形態によれば、以下の効果を奏する。
【００３１】
（１）異物侵入抑制装置１は、設置物の一例である太陽光発電モジュール８０と太陽光発電モジュール８０が設置される設置面の一例である屋根面９０の間の隙間Ｓ１に異物Ｉ１が侵入することを抑制する。異物侵入抑制装置１は、幅方向Ｗに延びる複数の第１線状部の一例である横線状部１１、及び幅方向Ｗに交わる高さ方向Ｈに延び、横線状部１１との交点で連結する複数の第２線状部の一例である縦線状部１２を有するネット１０と、ネット１０を太陽光発電モジュール８０に固定する第１固定手段の一例であるクリップ２１と、ネット１０を屋根面９０に対して固定する第２固定手段の一例であるクリップ２２及び固定金具３０と、を備える。ネット１０の縦線状部１２は、屋根面９０に近い端部に位置し、隙間Ｓ１から離れる方向に向けて延びる先端部１２ａを備える。
この構成によれば、ネット１０の先端部１２ａにより鳥類等を威嚇することができる。よって、異物Ｉ１の侵入をより確実に抑制することができる。
【００３２】
（２）ネット１０は、太陽光発電モジュール８０と屋根面９０の間において凹状の曲線をなすように撓んだ状態でクリップ２１，２２により保持される。
この構成によれば、異物Ｉ１が外側から隙間Ｓ１に向かって進んだとしても、ネット１０の上に乗るか、ネット１０の先端部１２ａに突き刺さるため、異物Ｉ１が隙間Ｓ１に進入することを抑制できる。
また、この構成では、ネットを筒状に巻いて隙間Ｓ１に設置する比較例に比べて、使用するネット１０の材料を少なくすることができる。
さらに、ネット１０が外側から見て凹むように保持されるため、ネット１０が外部に露出することを最小限とすることができる。
【００３３】
（３）第１固定手段は、ネット１０の横線状部１１を保持した状態で太陽光発電モジュール８０の被取付部８１を挟み込む第１クリップの一例であるクリップ２１である。第２固定手段は、屋根面９０に固定される固定金具３０と、ネット１０の横線状部１１を保持した状態で固定金具３０を挟み込む第２クリップの一例であるクリップ２２と、を備える。
この構成によれば、クリップ２１はネット１０の横線状部１１を保持した状態であるため、クリップ２１を被取付部８１に装着するだけで、クリップ２１によりネット１０を被取付部８１に固定することができる。また、クリップ２２はネット１０の横線状部１１を保持した状態であるため、クリップ２２を固定金具３０に装着するだけで、クリップ２２によりネット１０を固定金具３０に固定することができる。このように、ビスや結束バンドを用いることなく、簡単にネット１０を太陽光発電モジュール８０及び固定金具３０に固定することができる。
【００３４】
（４）固定金具３０は、屋根面９０に接着される接着板部３１と、屋根面９０に交わる方向に延び、クリップ２２が装着されるクリップ装着板部３２と、を備える。接着板部３１には、接着剤が充填され、屋根面９０から離れるにつれて孔径が大きくなる孔３１ａが形成される。
この構成によれば、各孔３１ａ内の接着剤が硬化すると、その硬化した接着剤が各孔３１ａから抜けることを抑制する。よって、固定金具３０がより確実に屋根面９０に固定される。
【００３５】
（５）クリップ２１は、太陽光発電モジュール８０の被取付部８１を挟み込む第１挟持部２１ｅ及び第２挟持部２１ｆを備える。第１挟持部２１ｅは、第２挟持部２１ｆよりもクリップ２１の開口側に位置する。ネット１０の横線状部１１は、第１挟持部２１ｅと第２挟持部２１ｆの間に保持される。
この構成によれば、第１挟持部２１ｅ及び第２挟持部２１ｆにより被取付部８１が確実に固定される。ネット１０の横線状部１１は、第１挟持部２１ｅと第２挟持部２１ｆの間に保持されるため、クリップ２１内の横線状部１１が、クリップ２１の被取付部８１への挿入を阻害することが抑制される。
【００３６】
（６）第１挟持部２１ｅは、幅方向Ｗにおける第２挟持部２１ｆの両側に位置する。
この構成によれば、ネット１０の横線状部１１は、クリップ２１において、２組の第１挟持部２１ｅと１組の第２挟持部２１ｆにより３箇所で安定的に保持される。よって、クリップ２１がネット１０の横線状部１１に対して傾くことが抑制される。クリップ２２も、クリップ２１と同様に、ネット１０の横線状部１１に対して傾くことが抑制される。
【００３７】
（７）クリップ装着板部３２には、第１挟持部２２ｅの先端が位置する凹部３２ａが形成される。
この構成によれば、クリップ２２がクリップ装着板部３２から外れることが抑制される。
【００３８】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００３９】
（変形例）
上記実施形態においては、異物侵入抑制装置１は、太陽光発電モジュール８０と屋根面９０の隙間Ｓ１に適用されたものであったが、太陽光発電モジュール８０以外のエアコンディショナの室外機等の設置物と屋根面９０の隙間に適用されてもよい。さらに、異物侵入抑制装置１は、屋根面９０以外の設置面、例えば地面又は床下と設置物の隙間に適用されてもよい。
【００４０】
上記実施形態において、クリップ２１，２２の少なくとも何れかに代えて結束バンドが用いられていてもよい。
【００４１】
上記実施形態においては、接着板部３１の孔３１ａは、下面から上面に向かうにつれて孔径が大きくなるように形成されていたが、これに限らず、孔径が一定に形成されていてもよい。また、孔３１ａの配置位置及び数は適宜変更可能である。また、孔３１ａは省略されてもよい。また、クリップ装着板部３２には凹部３２ａが形成されていたが、凹部３２ａは省略されてもよい。
【００４２】
上記実施形態においては、クリップ２１は第１挟持部２１ｅ及び第２挟持部２１ｆを備えていたが、第１挟持部２１ｅ及び第２挟持部２１ｆの何れかは省略されてもよい。また、クリップ２２も同様である。
【００４３】
上記実施形態においては、固定金具３０は接着剤により屋根面９０に接着されていたが、固定金具３０はビスにより屋根面９０に固定されていてもよい。
【００４４】
上記実施形態においては、ネット１０は外側から見て凹状に撓むように保持されていた。しかしながら、ネット１０の先端部１２ａが外側に向けて突出していれば、ネット１０の一部が外側から見て凸状に撓むように保持されていてもよい。また、先端部１２ａが省略されてもよい。
【００４５】
以上の実施形態の異物侵入抑制装置１は、他の観点の課題も解決できる。この課題について説明する。
従来では、防鳥ネットを紐や結束バンド等により固定金具等に締結する細かな作業が必要があり、防鳥ネットの組み付け作業は困難であった。
下記の付記１は、上記実状を鑑みてなされたものであり、ネットの組み付け作業が容易となる異物侵入抑制装置を提供することを目的とする。
【００４６】
（付記１）
設置物と前記設置物が設置される設置面の間の隙間に異物が侵入することを抑制する異物侵入抑制装置であって、
幅方向に延びる複数の第１線状部、及び前記幅方向に交わる高さ方向に延び、前記第１線状部との交点で連結する複数の第２線状部を有するネットと、
前記ネットを前記設置物に固定する第１固定手段と、
前記ネットを前記設置面に対して固定する第２固定手段と、を備え、
前記第１固定手段は、前記ネットの前記第１線状部を保持した状態で前記設置物の被取付部を挟み込む第１クリップであり、
前記第２固定手段は、
前記設置面に固定される固定金具と、
前記ネットの前記第１線状部を保持した状態で前記固定金具を挟み込む第２クリップと、を備える、
異物侵入抑制装置。
【符号の説明】
【００４７】
１  異物侵入抑制装置
１０，１００  ネット
１１  横線状部（第１線状部の一例）
１２  縦線状部（第２線状部の一例）
１２ａ  先端部
２１  クリップ（第１クリップの一例）
２２  クリップ（第２クリップの一例）
２１ａ，２２ａ  クリップ部
２１ｂ，２２ｂ  取手部
２１ｅ，２２ｅ  第１挟持部
２１ｆ  第２挟持部
３０  固定金具
３１  接着板部
３１ａ  孔
３２  クリップ装着板部
３２ａ  凹部
８０  太陽光発電モジュール（設置物の一例）
８１  被取付部
９０  屋根面（設置面の一例）
Ｈ  高さ方向
Ｗ  幅方向
Ｉ１  異物
Ｓ１  隙間
【図１】
2020074713.tif 000003
【図２】
2020074713.tif 000004
【図３】
2020074713.tif 000005
【図４】
2020074713.tif 000006
【図５】
2020074713.tif 000007
【図６】
2020074713.tif 000008